(57)【要約】【課題】  被験者の生理状態・心理状態の変化を感度良く検出可能な装置及び方法を提供する。【解決手段】  生理・心理状態検出装置１は、被験者の生理指標を計測する生理指標計測手段１０と、生理指標計測手段により計測された生理指標から、生理指標のゆらぎを抽出するゆらぎ抽出手段１８と、ゆらぎ抽出手段により抽出された生理指標のゆらぎから、ゆらぎの特徴的変化を抽出するゆらぎ特徴抽出手段２０と、ゆらぎ特徴抽出手段により抽出されたゆらぎの特徴的変化から、発生頻度が所定閾値を越えた特徴的変化を検出する有意特徴検出手段２４と、を備え、有意特徴検出手段の検出結果に基づいて、被験者の生理・心理状態の変化を検出する。【選択図】      図１
2007006970.tif 000002
【特許請求の範囲】
【請求項１】
被験者の生理指標を計測する生理指標計測手段と、
前記生理指標計測手段により計測された生理指標から、生理指標のゆらぎを抽出するゆらぎ抽出手段と、
前記ゆらぎ抽出手段により抽出された生理指標のゆらぎから、ゆらぎの特徴的変化を抽出するゆらぎ特徴抽出手段と、
前記ゆらぎ特徴抽出手段により抽出されたゆらぎの特徴的変化から、発生頻度が所定閾値を越えた特徴的変化を検出する有意特徴検出手段と、
を備え、
前記有意特徴検出手段の検出結果に基づいて、被験者の生理・心理状態の変化を検出することを特徴とする生理・心理状態検出装置。
【請求項２】
前記生理指標計測手段により計測された生理指標に基づいて、閾値を設定する閾値設定手段を、さらに備え、
前記有意特徴検出手段は、発生頻度が、前記閾値設定手段により設定された閾値を越えた特徴的変化を検出することを特徴とする請求項１に記載の生理・心理状態検出装置。
【請求項３】
被験者の生理指標を計測する生理指標計測ステップと、
計測された生理指標から、生理指標のゆらぎを抽出するゆらぎ抽出ステップと、
抽出された生理指標のゆらぎから、ゆらぎの特徴的変化を抽出するゆらぎ特徴抽出ステップと、
抽出されたゆらぎの特徴的変化から、発生頻度が所定閾値を越えた特徴的変化を検出する有意特徴検出ステップと、
を含む生理・心理状態検出方法。
【請求項４】
生理・心理状態の検出に用いるリファレンスデータを生成するためのリファレンスデータ生成装置であって、
被験者の生理指標を計測する生理指標計測手段と、
被験者のストレス指標を計測するストレス指標計測手段と、
前記ストレス指標計測手段により計測されたストレス指標に基づいて、被験者のストレス状態を判定するストレス状態判定手段と、
前記ストレス状態判定手段により被験者がストレス状態に無いと判定された場合に、前記生理指標計測手段により計測された生理指標を取り込んで、リファレンスデータを計算するリファレンスデータ計算手段と、
を備えたことを特徴とするリファレンスデータ生成装置。
【請求項５】
生理・心理状態の検出に用いるリファレンスデータを生成するためのリファレンスデータ生成方法であって、
被験者の生理指標を計測する生理指標計測ステップと、
被験者のストレス指標を計測するストレス指標計測ステップと、
計測されたストレス指標に基づいて、被験者のストレス状態を判定するストレス状態判定ステップと、
被験者がストレス状態に無いと判定された場合に、計測された生理指標を取り込んで、リファレンスデータを計算するリファレンスデータ計算ステップと、
を含むリファレンスデータ生成方法。
【発明の詳細な説明】
【技術分野】
【０００１】
本発明は、被験者の生理状態又は心理状態を検出する生理・心理状態検出装置、及び生理・心理状態検出方法に関する。
【背景技術】
【０００２】
車両の運転者の生理状態・心理状態を判定する装置が開発されている（特許文献１，２）。例えば、車両の運転者の覚醒度を判定して、走行中の居眠りを未然に防止する試みがなされている。ここで、覚醒度の判定方法として、被験者の脳波、心拍、呼吸などの生理指標を所定時間ごとに計測して、計測された生理指標から特徴量を算出し、その特徴量から覚醒度を判定する手法が提案されている。
【特許文献１】特開平６−２５５５１８号公報
【特許文献２】特開平７−２７５２１９号公報
【発明の開示】
【発明が解決しようとする課題】
【０００３】
しかしながら、従来技術に係る装置では、被験者の生理状態が平常時に比べて大きく変化しないと、被験者の生理状態又は心理状態の変化を検出することができない、という問題がある。例えば、居眠り検出用の装置では、眠気がかなり強くないと、運転者の居眠り状態を検出できない。
【０００４】
そこで、本発明の目的は、被験者の生理状態・心理状態の変化を感度良く検出可能な装置及び方法を提供することである。
【課題を解決するための手段】
【０００５】
上述した目的を達成するために、本発明に係る生理・心理状態検出装置は、被験者の生理指標を計測する生理指標計測手段と、生理指標計測手段により計測された生理指標から、生理指標のゆらぎを抽出するゆらぎ抽出手段と、ゆらぎ抽出手段により抽出された生理指標のゆらぎから、ゆらぎの特徴的変化を抽出するゆらぎ特徴抽出手段と、ゆらぎ特徴抽出手段により抽出されたゆらぎの特徴的変化から、発生頻度が所定閾値を越えた特徴的変化を検出する有意特徴検出手段と、を備え、有意特徴検出手段の検出結果に基づいて、被験者の生理・心理状態の変化を検出することを特徴とする。
【０００６】
この構成によれば、被験者の生理・心理状態の変化を感度良く検出することができる。即ち、被験者の生理・心理状態に微小変化が生じた場合には、ゆらぎの特徴的変化の発生頻度が高くなる。よって、発生頻度が所定閾値を越えたゆらぎの特徴的変化を検出することで、被験者の生理・心理状態の変化を感度良く検出することができる。
【０００７】
上述した生理・心理状態検出装置は、生理指標計測手段により計測された生理指標に基づいて、閾値を設定する閾値設定手段を、さらに備え、有意特徴検出手段は、発生頻度が、閾値設定手段により設定された閾値を越えた特徴的変化を検出することが好ましい。
【０００８】
この構成によれば、生理指標計測手段により計測された生理指標に基づいて閾値が設定される。よって、被験者の個人差や日々の体調変化などを考慮した閾値が設定されるため、被験者の生理・心理状態の変化を感度良く検出することができる。
【０００９】
上述した目的を達成するために、本発明に係る生理・心理状態検出方法は、被験者の生理指標を計測する生理指標計測ステップと、計測された生理指標から、生理指標のゆらぎを抽出するゆらぎ抽出ステップと、抽出された生理指標のゆらぎから、ゆらぎの特徴的変化を抽出するゆらぎ特徴抽出ステップと、抽出されたゆらぎの特徴的変化から、発生頻度が所定閾値を越えた特徴的変化を検出する有意特徴検出ステップと、を含む。
【００１０】
また、本発明に係るリファレンスデータ生成装置は、生理・心理状態の検出に用いるリファレンスデータを生成するためのリファレンスデータ生成装置であって、被験者の生理指標を計測する生理指標計測手段と、被験者のストレス指標を計測するストレス指標計測手段と、ストレス指標計測手段により計測されたストレス指標に基づいて、被験者のストレス状態を判定するストレス状態判定手段と、ストレス状態判定手段により被験者がストレス状態に無いと判定された場合に、生理指標計測手段により計測された生理指標を取り込んで、リファレンスデータを計算するリファレンスデータ計算手段と、を備えたことを特徴とする。
【００１１】
この構成によれば、被験者のストレスが小さいときに計測された生理指標に基づいてリファレンスデータを計算するため、生理・心理状態を良好に検出可能なリファレンスデータを得ることができる。
【００１２】
また、本発明に係るリファレンスデータ生成方法は、生理・心理状態の検出に用いるリファレンスデータを生成するためのリファレンスデータ生成方法であって、被験者の生理指標を計測する生理指標計測ステップと、被験者のストレス指標を計測するストレス指標計測ステップと、計測されたストレス指標に基づいて、被験者のストレス状態を判定するストレス状態判定ステップと、被験者がストレス状態に無いと判定された場合に、計測された生理指標を取り込んで、リファレンスデータを計算するリファレンスデータ計算ステップと、を含む。
【発明の効果】
【００１３】
本発明によれば、被験者の生理状態・心理状態の変化を感度良く検出することができる。
【発明を実施するための最良の形態】
【００１４】
［１］生理・心理状態検出装置
以下、図面を参照して、本発明の実施形態に係る生理・心理状態検出装置ついて説明する。本実施形態では、生理・心理状態検出装置は、車両に搭載されており、運転者の居眠り状態、ストレス負荷状態、疲労状態などの生理・心理状態を判定するために用いられる。
【００１５】
図１には、本実施の形態に係る生理・心理状態検出装置１の構成が示されている。生理・心理状態検出装置１は、生理指標計測部１０、及びＥＣＵ[Electronic Control Unit]を備えており、ＥＣＵ内に、生理指標名入力部１２、検出対象状態名入力部１４、ゆらぎ処理情報データベース１６、ゆらぎ抽出部１８、ゆらぎ特徴抽出部２０、閾値設定部２２、有意特徴検出部２４、状態出力部２６、及び４つのバッファー２８，３０，３２，３４が構成される。
【００１６】
生理指標計測部１０は、被験者の生理データを逐次計測して、生理指標の時系列データを出力する。生理指標計測部１０としては、例えば、脳波センサ、心電センサ、脈波センサ、呼吸センサなどがある。但し、生理指標計測部１０は、これらに限られるものではなく、居眠り状態、ストレス負荷状態、疲労状態などの検出対象状態に応じて、計測する生理指標に変化が生じるものであればよい。なお、生理指標計測部１０により計測された生理指標の時系列データは、バッファーＩ２８に一時的に格納される。
【００１７】
ＥＣＵは、生理・心理状態検出装置１の制御装置であり、ＣＰＵ[Central Processing Unit]、ＲＯＭ[Read Only Memory]、ＲＡＭ[Random Access Memory]などからなる。ＥＣＵでは、生理・心理状態検出装置１が起動されると、ＲＯＭに記憶されている専用のアプリケーションプログラムがＲＡＭにロードされ、ＣＰＵによってそのプログラムに記述された各処理が実行される。これにより、ＥＣＵの各機能が構成される。
【００１８】
生理指標名入力部１２は、計測している生理指標を特定する情報（以下、生理指標名と呼ぶ）を取り込んで、ゆらぎ処理情報データベース１６及び閾値設定部２２に、その生理指標名を出力する。ここで、生理指標名の入力方法は問わない。例えば、外部の装置からの入力により生理指標名を取り込んだり、運転者による入力操作により生理指標名を取り込めばよい。また、生理指標計測部１０からＥＣＵに計測信号が到来した場合に、生理指標計測部１０により計測される生理指標名を取り込むようにしてもよい。
【００１９】
検出対象状態名入力部１４は、検出する状態を特定する情報（以下、検出対象状態名と呼ぶ）を取り込んで、ゆらぎ処理情報データベース１６及び閾値設定部２２に、その検出対象状態名を出力する。検出対象状態とは、例えば、運転者の居眠り状態、ストレス負荷状態、疲労状態などである。ここで、検出対象状態名の入力方法は問わない。例えば、外部の装置からの入力により検出対象状態名を取り込んだり、運転者による入力操作により、検出対象状態名を取り込めばよい。
【００２０】
ゆらぎ処理情報データベース１６は、生理指標の計測値から検出対象状態を検出するために用いるリファレンスデータを格納している。ゆらぎ処理情報データベース１６は、生理指標名および検出対象状態名を取り込むと、生理指標名および検出対象状態名に対応するリファレンスデータを、ゆらぎ抽出部１８及びゆらぎ特徴抽出部２０に出力する。リファレンスデータとは、例えば、下記の１〜７に示すような一組の情報である。
【００２１】
リファレンスデータ
１．推定に用いる生理指標名  １個以上
２．サンプリングレート      複数個（生理指標により選定）
３．バンドパス帯域周波数    複数個（生理指標により選定）
４．解析単位区間幅          複数個（生理指標により選定）
５．周波数帯                複数個（生理指標により選定）
６．閾値処理用数式          複数個（生理指標により選定）
７．特定区間長              複数個（生理指標、推定対象により選定）、など
【００２２】
ゆらぎ抽出部１８は、バッファーＩ２８から生理指標の時系列データを取り込み、さらに、ゆらぎ処理情報データベース１６からリファレンスデータを取り込むと、生理指標の時系列データからゆらぎを抽出する処理を行い、抽出されたゆらぎの時系列データを出力する。ゆらぎ抽出部１８から出力されたゆらぎの時系列データは、バッファーＩＩ３０に一時的に格納される。
【００２３】
生理指標計測部１０が心拍センサであり、ゆらぎ抽出部１８が心拍ゆらぎを抽出する場合を一例として、ゆらぎ抽出部１８の処理を説明する。先ず、ゆらぎ抽出部１８は、心拍の時系列データをバンドパスフィルタで処理することで、心拍の時系列データから通過帯域０．１Ｈｚ〜３０Ｈｚの成分を取り出す。この処理の結果が、図２に示される。なお、通過帯域の情報は、リファレンスデータに含まれている。
【００２４】
次に、ゆらぎ抽出部１８は、図２に示すように、心拍の時系列データから、心拍タイミング検出用の閾値ＴＨ０以上となっている波形部分を切り出す。そして、ゆらぎ抽出部１８は、図３に示すように、切り出された波形部分が最大となるタイミングを１とし、他のタイミングを０として２値化する。これにより、図４に示すように、一連の心拍タイミングが求められる。なお、閾値ＴＨ０の情報は、リファレンスデータに含まれている。
【００２５】
次に、ゆらぎ抽出部１８は、図５に示すように、各心拍タイミングｔ１から次の心拍タイミングｔ２までの時間（秒）を求め、求められた時間（ｔ２−ｔ１）を各心拍タイミングｔ１に付与することで、心拍周期の情報を得る。さらに、ゆらぎ抽出部１８は、図６に示すように、心拍周期の情報を補完することで、心拍周期の曲線Ｃを求めて心拍周期の時系列データを得る。なお、ゆらぎ抽出部１８は、図７に示すように、心拍周期の時系列データに代えて、心拍周波数の時系列データを求めてもよい。
【００２６】
次に、ゆらぎ抽出部１８は、図８に示すように、任意のタイムスタンプである基準時間Ｔより前の解析単位区間幅Ｔｔｅｒｍ（秒）における心拍周期の時系列データに対して、高速フーリエ変換（ＦＦＴ）処理を行う。ここで、解析単位区間幅Ｔｔｅｒｍは、リファレンスデータに含まれる値である。次に、ゆらぎ抽出部１８は、図９に示すように、ＦＦＴ処理により解析単位区間ごとに得られたパワースペクトルにおいて、リファレンスデータにて指定される各周波数帯帯域ごとに、振幅スペクトルを積分する。ここでは、第一の周波数帯帯域（０．１Ｈｚ付近）、及び第二の周波数帯帯域（０．３Ｈｚ付近）について振幅スペクトルを積分している。なお、リファレンスデータにて指定される各周波数帯帯域は、計測される生理指標のゆらぎが強く現れる周波数帯帯域とすればよい。
【００２７】
ゆらぎ抽出部１８は、一定時間が経過して基準時間になるごとに、解析単位区間幅Ｔｔｅｒｍにおける心拍周期の時系列データに対して、ＦＦＴ処理を行って、パワースペクトルを積分する処理を繰り返す。これにより、図１０に示すように、各周波数帯帯域ごとに振幅スペクトルパワーの時系列データが算出される。この振幅スペクトルパワーの時系列データが、心拍ゆらぎの時系列データである。
【００２８】
ゆらぎ特徴抽出部２０は、バッファーＩＩ３０からゆらぎの時系列データを取り込み、さらに、ゆらぎ処理情報データベース１６からリファレンスデータを取り込むと、ゆらぎの時系列データからゆらぎの特徴的変化を検出する。そして、ゆらぎ特徴抽出部２０は、ゆらぎの特徴的変化の発生頻度を算出し、発生頻度の時系列データを出力する。ゆらぎ特徴抽出部２０から出力された発生頻度の時系列データは、バッファーＩＩＩ３２に一時的に格納される。
【００２９】
ゆらぎ抽出部１８の説明に引き続いて、生理指標計測部１０が心拍センサである場合を一例として、ゆらぎ特徴抽出部２０の処理を説明する。先ず、ゆらぎ特徴抽出部２０は、心拍ゆらぎの時系列データに対して微分を行う。この結果を、図１１に示す。なお、心拍ゆらぎに対しては微分が行われるが、生理指標によっては微分を行わない方が好適な場合もある。次に、ゆらぎ特徴抽出部２０は、図１２に示すように、現在時刻ｔ０からｔｄ秒前の時刻を終端とする解析区間幅Ａを定める。そして、ゆらぎ特徴抽出部２０は、区間Ａでの心拍ゆらぎ微分値の時系列データの平均値ｍｅａｎと標準偏差ｓｄを計算し、次の数式（１）により閾値ＴＨ１（ｔ）を求める。
【００３０】
ＴＨ１（ｔ）  ＝  ｍｅａｎ（ｔ）＋３×ｓｄ（ｔ）    ・・・（１）
【００３１】
図１３には、図１１のチャートに追加して、閾値ＴＨ１が示されている。平均値ｍｅａｎから標準偏差ｓｄの３倍離れた値を閾値ＴＨ１に設定することで、心拍ゆらぎ微分値が閾値ＴＨ１を越えることは９９％あり得ないこととなり、統計的に有意差のある心拍ゆらぎの特徴的変化を検出することができる。
【００３２】
ゆらぎ特徴抽出部２０は、各時刻ごとに心拍ゆらぎの微分値が閾値ＴＨ１を越えたか否かを判定する。ここで、ゆらぎ特徴抽出部２０は、現在時刻ｔ０から過去に遡って一定時間に、心拍ゆらぎの微分値が閾値ＴＨ１を越えていない場合には、次の時刻ｔ０＋１において閾値ＴＨ１を更新する。一方、現在時刻ｔ０から過去に遡って一定時間に、心拍ゆらぎの微分値が閾値ＴＨ１を越えている場合には、次の時刻ｔ０＋１において閾値ＴＨ１を更新せずに、次の時刻ｔ０＋１において閾値ＴＨ１として、現在時刻ｔ０の閾値ＴＨ１をそのまま利用する。これにより、閾値越えした心拍ゆらぎの微分値を閾値設定に用いることを防止して、被験者の生理・心理状態の変化を精度良く検出することを可能にしている。
【００３３】
図１４には、ゆらぎ特徴抽出部２０による閾値ＴＨ１越えの判定結果が示されている。ここで、ゆらぎ特徴抽出部２０は、各周波数帯についての閾値越えの有無を総合的に考察して、心拍ゆらぎの微分値の閾値越えの有無を判断している。本実施形態では、２つの周波数帯の心拍ゆらぎの微分値が同時刻に閾値越えしている場合、その時刻について閾値越え有り（１）とし、一方又は両方の周波数帯の心拍ゆらぎの微分値が同時刻に閾値越えしていない場合、その時刻について閾値越え無し（０）としている。なお、閾値越えの有無を判断する別の方法としては、少なくとも１つの周波数帯の心拍ゆらぎの微分値が閾値越えしている場合、その時刻について閾値越え有り（１）とし、全ての周波数帯の心拍ゆらぎの微分値が閾値越えしていない場合、その時刻について閾値越え無し（０）としてもよい。さらに、閾値越えの有無を判断する別の方法としては、複数の周波数帯の心拍ゆらぎの微分値が同時刻に閾値越えしている場合、閾値越えした心拍ゆらぎの微分値の個数を、その時刻の値としてもよい。以上、心拍ゆらぎについて説明したが、生理指標計測部が、心拍だけでなく他の生理指標を計測する場合には、他の生理指標についての閾値越えの有無を考慮して、閾値越えの有無を総合的に判断すればよい。
【００３４】
次に、ゆらぎ特徴抽出部２０は、閾値越え密度を算出する。つまり、ゆらぎ特徴抽出部２０は、所定の時間間隔ごとに、閾値越えしたゆらぎの特徴的変化をカウントして、図１５に示すように閾値越え密度の時系列データを求める。ここで求められる閾値越え密度は、言い換えれば、ゆらぎの特徴的変化の発生頻度である。なお、特徴的変化をカウントする時間幅の値は、リファレンスデータに含まれている。ゆらぎ特徴抽出部２０により算出された閾値越え密度の時系列データは、バッファーＩＩＩ３２に格納される。
【００３５】
バッファーＩＩＩ３２に格納された閾値越え密度の時系列データのうち、前半の特定区間Ａの時系列データは、閾値設定用の時系列データとして閾値設定部２２に転送される。一方、後半の特定区間Ｂの時系列データは、統計的に有意差のある特徴的変化を検出するための時系列データとして、バッファーＩＶ３４に転送される。バッファーＩＶ３４に転送された時系列データは、その後、有意特徴検出部２４に転送される。ここで、時系列データの転送は、有意特徴検出部２４がバッファーＩＩＩ３２及びバッファーＩＶ３４に転送指令を与えるたびに行われる。なお、特定区間Ａ，Ｂの時間幅の値は、リファレンスデータに含まれている。
【００３６】
閾値設定部２２は、生理指標名、検出対象状態名、閾値越え密度の時系列データ、及びリファレンスデータを取り込んで、統計的に有意差のあるゆらぎの特徴的変化を検出するための閾値ＴＨ２を算出し、出力する。ここで、閾値設定部２２は、図１６に示すように、バッファーＩＩＩ３２に格納された閾値越え密度の時系列データから、特定区間Ａの閾値越え密度の時系列データを取り込んで、Ａ区間内で閾値越え密度最大値ＭＭを求めた後、次の数式（２）に基づいて閾値ＴＨ２を算出する。
【００３７】
ＴＨ２  ＝  ＭＭ  ＋  ｓｃａｌｅ×ｐａｒａｍ    ・・・（２）
但し、
ｓｃａｌｅ：任意の実数
ｐａｒａｍ：任意の変数（例１：ＭＭ、例２：Ａ区間内における閾値越え密度の標準偏差）
ｓｃａｌｅ及びｐａｒａｍの値は、統計的に有意差のあるゆらぎの特徴的変化が検出されるように調整すればよい。
【００３８】
上述した閾値の設定処理では、生理指標計測部１０により計測された生理指標に基づいて閾値ＴＨ２が設定されるため、被験者の生理・心理状態の変化を感度良く検出することができる。即ち、生理指標計測部１０により計測された生理指標は、生理指標計測部１０による計測開始から現在時刻までのいずれかの時間帯に計測されたものである。より詳しく説明すると、生理指標計測部１０の計測開始の時刻とは、生理指標計測部１０が現在行っている計測を開始した時刻のことであり、これ以降に計測された生理指標を閾値ＴＨ２設定に用いることにより、被験者の個人差や日々の体調変化などを考慮した閾値ＴＨ２を設定でき、これにより被験者の生理・心理状態の変化を感度良く検出することができる。一方、生理指標計測部１０の現在時刻とは、生理指標計測部１０が計測を行っている現在の時刻のことであり、本実施形態ではＡ区間が終了する時刻のことである。
【００３９】
有意特徴検出部２４は、バッファーＩＶ３４から特定区間Ａ以外の閾値越え密度の時系列データを取り込み、さらに、閾値設定部２２から閾値ＴＨ２を取り込むと、閾値越え密度の時系列データにおいて閾値ＴＨ２を越えているデータを、統計的に有意差のあるゆらぎの特徴的変化として検出する（図１６参照）。そして、有意特徴検出部２４は、統計的に有意差のあるゆらぎの特徴的変化の有無を示す時系列データ（以下、有意特徴の時系列データと呼ぶ）を出力する。本実施形態では、上述したように発生頻度が所定閾値を越えたゆらぎの特徴的変化を検出することで、被験者の生理・心理状態の変化を感度良く検出することができる。
【００４０】
状態出力部２６は、有意特徴の時系列データを取り込んで、ゆらぎの特徴的変化が有る場合には、被験者の生理・心理状態の変化に対応した処理を行う。ここで、運転者の覚醒度の低下に対応して、例えば、下記の１〜５の処理を行うことができる。なお、以下の処理は、運転者に限らず、助手席に座っている人、運送会社のトラック運行管理者などに対して行ってもよい。
１．音で伝える（例：ブザー、オーディオ、ラジオ、クラクション）
２．光で伝える（例：メーター照明、ルーム照明）
３．触覚・温冷覚で伝える（例：シートに埋設した振動装置、エアコン風）
４．匂いで伝える（例：芳香剤の噴射）
５．システムへのコマンド出力
【００４１】
上述した本実施形態の生理・心理状態検出装置１によれば、生理状態又は心理状態の変化に応じた生理指標のゆらぎの変化を検出することで、生理状態又は心理状態が平常時から変化し始めるタイミングを検出することができる。このように生理状態又は心理状態の変化を早期に検出することで、生理状態又は心理状態の変化により危険な運転状態へ突入することを未然に回避することができる。例えば、運転者の覚醒度の低下を早期に検出することにより、居眠り運転を回避することができる。また、生理状態又は心理状態の変化に早期に対応することにより、状況を回復するための処理を軽度で済ませることができる。例えば、運転者の覚醒度の低下を早期に検出することにより、車両を安全に駐車できる領域まで移動させるための移動時間を十分に確保することができる。
【００４２】
次に、図１７〜図２０を参照して、生理・心理状態検出装置１による処理の流れについて説明する。図１７〜図２０の処理は、ＣＰＵがプログラムを実行することにより実現される。
【００４３】
先ず、図１７の処理について説明する。ＣＰＵは、検出対象状態名を取り込む（Ｓ１０１）。ここで、検出対象状態名が取り込まれているか否かを判定し（Ｓ１０２）、取り込まれていないと判定された場合には、再び検出対象状態名の取り込みを試みる。
【００４４】
次に、ＣＰＵは、計測する生理指標名を取り込む（Ｓ１０３）。ここで、生理指標名が取り込まれているか否かを判定し（Ｓ１０４）、取り込まれていないと判定された場合には、再び生理指標名の取り込みを試みる。また、対象状態の検出に必要な生理指標が取り込まれているか否かを判定し（Ｓ１０５）、取り込まれていないと判定された場合には、再び生理指標名の取り込みを試みる。
【００４５】
次に、ＣＰＵは、ゆらぎ処理情報データベース１６に対して、リファレンスデータをゆらぎ抽出部１８及びゆらぎ特徴抽出部２０へ転送させるための指令を与える（Ｓ１０６）。次に、ＣＰＵは、計測された生理指標の時系列データを取り込み（Ｓ１０７）、その時系列データをバッファーＩ２８に一時的に格納する（Ｓ１０８）。そして、ＣＰＵは、「１」の処理、即ち、図１８のフローチャートの処理に進む。
【００４６】
次に、図１８の処理について説明する。図１８の処理は、ゆらぎ抽出部１８により行われる処理である。ＣＰＵは、プログラムが起動してから最初の処理であるか否かを判定して（Ｓ２０１）、最初の処理である場合には、バッファーＩ２８において先頭アドレスから解析区間指示値アドレスまでの時系列データを取得し（Ｓ２０２）、一方、最初の処理でない場合には、バッファーＩ２８において読み出し先頭位置アドレスから解析区間指示値アドレスまでの時系列データを取得する（Ｓ２０３）。
【００４７】
次に、ＣＰＵは、生理指標の時系列データに対してバンドパスフィルタリング処理を行ってから、閾値を越えた時系列データを切り出す（Ｓ２０４）。次に、ＣＰＵは、切り出された時系列データを２値化してから、２値化データを利用して区間幅（周期）を求める（Ｓ２０５，Ｓ２０６）。次に、ＣＰＵは、区間幅を補間して周期の時系列データを求める（Ｓ２０７）。次に、ＣＰＵは、周期の時系列データをＦＦＴ処理し、その結果に対して複数の周波数帯帯域を指定し、各帯域ごとに振幅スペクトルを積分する（Ｓ２０８，Ｓ２０９，Ｓ２１０）。次に、ＣＰＵは、バッファーＩ２８に格納された時系列データが全て処理されていない場合には、バッファーＩ２８の読み出し先頭位置アドレスを更新して（Ｓ２１１）、「３」に進んでステップ１０８の処理を行う。一方、ＣＰＵは、バッファーＩ２８に格納された時系列データが全て処理されている場合には、「２」に進んで図１９のフローチャートの処理に進む。
【００４８】
次に、図１９の処理について説明する。図１９の処理は、ゆらぎ特徴抽出部２０により行われる処理である。ＣＰＵは、ゆらぎの時系列データを、バッファーＩＩ３０に一時的に保持させる（Ｓ３０１）。次に、ＣＰＵは、プログラムが起動してから最初の処理であるか否かを判定して（Ｓ３０２）、最初の処理である場合には、バッファーＩＩ３０において先頭アドレスから解析区間指示値アドレスまでの時系列データを取得し（Ｓ３０３）、一方、最初の処理でない場合には、バッファーＩＩ３０において読み出し先頭位置アドレスから解析区間指示値アドレスまでの時系列データを取得する（Ｓ３０４）
【００４９】
次に、ＣＰＵは、抽出処理参照情報に追加処理を指示する情報が含まれるか否かを判定する（Ｓ３０５）。ここで、追加処理を指示する情報が含まれている場合には、ＣＰＵは、ゆらぎ特徴を抽出するために好適な追加処理を行う（Ｓ３０６）。例えば、心拍ゆらぎの時系列データに対して、微分処理を行う。次に、ＣＰＵは、ゆらぎ時系列データを閾値ＴＨ１と比較して、閾値越え密度の時系列データを求める（Ｓ３０７，Ｓ３０８）。次に、ＣＰＵは、バッファーＩＩ３０の読み出し先頭位置アドレスを更新する（Ｓ３０９）。そして、ＣＰＵは、「４」の処理に進んで、図２０のフローチャートの処理を行う。
【００５０】
次に、図２０の処理について説明する。図２０の処理は、閾値設定部２２、及び有意特徴抽出部２４、状態出力部２６により行われる処理である。ＣＰＵは、閾値越え密度の時系列データを、バッファーＩＩＩ３２に一時的に保持させる（Ｓ４０１）。次に、ＣＰＵは、プログラムが起動してから最初の処理であるか否かを判定する（Ｓ４０２）。
【００５１】
ここで、最初の処理であると判定された場合には、ＣＰＵは、バッファーＩＩＩ３２において特定区間Ａの時系列データ、即ち、先頭アドレスから特定区間Ａの終端値アドレスまでの時系列データを、閾値設定部２２に転送する（Ｓ４０３）。そして、ＣＰＵは、バッファーＩＩＩ３２において特定区間Ｂの時系列データ、即ち、特定区間Ａの終端値アドレスから、次の読み出し先頭アドレスまでの時系列データを、バッファーＩＶ３４に転送する（Ｓ４０４）。
【００５２】
一方、最初の処理でないと判定された場合には、ＣＰＵは、バッファーＩＩＩ３２において特定区間Ａの時系列データ、即ち、読み出し先頭アドレスから特定区間Ａの終端値アドレスまでの時系列データを、閾値設定部２２に転送する（Ｓ４０５）。そして、ＣＰＵは、バッファーＩＩＩ３２において特定区間Ｂの時系列データ、即ち、特定区間Ａの終端値アドレスから、次の読み出し先頭アドレスまでの時系列データを、バッファーＩＶ３４に転送する（Ｓ４０６）。
【００５３】
次に、ＣＰＵは、閾値ＴＨ２を設定する処理を行ってから（Ｓ４０７）、バッファーＩＶ３４の時系列データを有意特徴検出部２４に転送する（Ｓ４０８）。そして、ＣＰＵは、ゆらぎの時系列データにおいて閾値ＴＨ２を越える部分を抽出する（Ｓ４０９）。次に、ＣＰＵは、バッファーＩＩＩ３２の読み出し先頭位置を更新し（Ｓ４１０）、対象状態に対応した状態出力処理を行ってから、処理を終了する（Ｓ４１１，Ｓ４１２）。一方、ＣＰＵは、処理を終了しない場合には、「０」の処理に進んで、ステップ１０７の処理を行う。
【００５４】
第１の検出例．
次に、生理・心理状態検出装置１の第１の検出例について説明する。本検出例に係る生理・心理状態検出装置１は、被験者の心電図から心拍ゆらぎを抽出し、心拍ゆらぎに基づいて居眠りを検出するものである。
【００５５】
本検出例では、検出対象状態名入力部１４に「居眠り」が入力され、生理指標名入力部１２に「心電図」が入力される。また、ゆらぎ処理情報データベース１６より、リファレンスデータとして以下の情報が、ゆらぎ抽出部１８に送られる。
１．推定に用いる生理指標名  心拍
２．サンプリングレート      ５ｍｓｅｃ
３．バンドパス帯域周波数    ０．１〜３０Ｈｚ
４．解析単位区間幅          数分オーダーの値
５．周波数帯                周波数帯１  ０．１Ｈｚ付近
周波数態２  ０．３Ｈｚ付近
【００５６】
また、ゆらぎ処理情報データベース１６より、リファレンスデータとして以下の情報が、ゆらぎ特徴抽出部２０に送られる。
６．閾値処理用数式          上記の数式（１）
７．閾値越え数カウント区間長
８・閾値設定用の特定区間長
９．追加処理                微分（閾値処理前の実施）
【００５７】
図２１には、ゆらぎ抽出部１８にて検出された心拍ゆらぎの時系列データが示されている。図２２には、ゆらぎ特徴抽出部２０にて検出された心拍ゆらぎの閾値越え密度の時系列データが示されている。ここで、区間Ａの時系列データは、閾値設定部２２へ出力され、閾値ＴＨ２を設定するために利用される。また、区間Ｂの時系列データは、有意特徴検出部２４へ出力される。図２３には、閾値越え密度の時系列データにおいて、区間Ｂに閾値ＴＨ２が設定された状態が示されている。有意特徴検出部２４により、閾値ＴＨ２を越えた時系列データが検出される。
【００５８】
上述した生理・心理状態検出装置１の機能評価試験として、覚醒低下検出試験を行った。その試験方法及び試験結果を説明する。試験は次の手順で行う。１．生理指標の計測と同時に被験者の顔画像時系列を取得しておく。２．顔画像時系列を下記のレベル１〜レベル６を基準として評価し、被験者の眠気を６段階レベル分けする（官能評価）。３．同時に、生理・心理状態検出装置１により運転者の眠気についてレベル５を検出目標として検出を行う。なお、評価の公正を期するため、評価者に対し被験者の生理計測データに関する情報は事前に一切与えなかった。
【００５９】
レベル１  ：  眠っている状態
レベル２  ：  非常に眠そう（瞼を閉じる、頭が前に傾く、頭が後ろに倒れる）
レベル３  ：  かなり眠そう（意識的と思われる瞬きがある、頭を振る・肩の上下動などの無用な身体全体の動きがある、あくびは頻発し深呼吸も見られる、瞬きも視線の動きも遅い）
レベル４  ：  眠そう（瞬きはゆっくりと頻発、口の動きがある、座り直し有り、顔に手をやる）
レベル５  ：  やや眠そう（唇が開いている、視線移動の動きが遅い）
レベル６  ：  全く眠くなさそう（視線の移動が速く頻繁である、瞬きは２秒に２回位の安定した周期、動きが活発で身体の動きを伴う）
（出典：「人間感覚計測マニュアル、第一編」、Ｐ１４６、人間生活工学研究センター）
【００６０】
図２４には、覚醒度低下検出試験の試験結果が示されている。試験結果では、顔画像による眠気評価がレベル５以下となっているときに、閾値越え密度が閾値ＴＨ２を越えており、生理・心理状態検出装置１は検出目標を達成している。即ち、生理・心理状態検出装置１により、全く眠くなさそうな状態からやや眠そうな状態に変化したことの検出に成功している。
【００６１】
第２の検出例．
次に、生理・心理状態検出装置１の第２の検出例について説明する。本検出例に係る生理・心理状態検出装置１は、被験者の脳波から脳波ゆらぎを抽出し、脳波ゆらぎに基づいて居眠りを検出するものである。
【００６２】
本検出例では、検出対象状態名入力部１４に「居眠り」が入力され、生理指標名入力部１２に「脳波」が入力される。また、ゆらぎ処理情報データベース１６より、リファレンスデータとして以下の情報が、ゆらぎ抽出部１８に送られる。
１．推定に用いる生理指標名  脳波
２．サンプリングレート      １ｍｓｅｃ
３．バンドパス帯域周波数    ０．１〜３０Ｈｚ
４．解析単位区間幅          数分オーダーの値
５．周波数帯                周波数帯１  ２０Ｈｚ付近
周波数態２  １０Ｈｚ付近
【００６３】
また、ゆらぎ処理情報データベース１６より、リファレンスデータとして以下の情報が、ゆらぎ特徴抽出部２０に送られる。
６．閾値処理用数式          上記の数式（１）
７．閾値越え数カウント区間長
８・閾値設定用の特定区間長
９．追加処理                なし
【００６４】
図２５には、覚醒度低下検出試験の試験結果が示されている。試験結果では、顔画像による眠気評価がレベル５以下となっているときに、閾値越え密度が閾値ＴＨ２を越えており、生理・心理状態検出装置１は検出目標を達成している。即ち、生理・心理状態検出装置１により、全く眠くなさそうな状態からやや眠そうな状態に変化したことの検出に成功している。
【００６５】
第３の検出例．
次に、生理・心理状態検出装置１の第３の検出例について説明する。本検出例に係る生理・心理状態検出装置１は、被験者の脳波及び心電図からそれぞれ脳波ゆらぎ及び心拍ゆらぎを抽出し、脳波ゆらぎ及び心拍ゆらぎに基づいて居眠りを検出するものである。
【００６６】
本検出例では、検出対象状態名入力部１４に「居眠り」が入力され、生理指標名入力部１２に「脳波」及び「心拍」が入力される。なお、本検出例のように複数の生理指標を計測する場合には、ゆらぎ特徴抽出部２０において、各生理指標に関する閾値越え密度を求めてから、それらの閾値越え密度を加算して統合する。そして、有意特徴検出部２４において、統合された閾値越え密度が閾値ＴＨ２を越えた場合に、被験者の生理・心理状態が変化したことを検出する。
【００６７】
また、ゆらぎ処理情報データベース１６より、リファレンスデータとして以下の情報が、ゆらぎ抽出部１８に送られる。
１．推定に用いる生理指標名  脳波、心拍
２．サンプリングレート      １ｍｓｅｃ
３．バンドパス帯域周波数    ０．１〜３０Ｈｚ
４．解析単位区間幅          数分オーダーの値
５．周波数帯                周波数帯１、２０Ｈｚ付近（脳波）
周波数態２、１０Ｈｚ付近（脳波）
周波数態３、０．１Ｈｚ付近（心拍）
周波数態４、０．３Ｈｚ付近（心拍）
【００６８】
また、ゆらぎ処理情報データベース１６より、リファレンスデータとして以下の情報が、ゆらぎ特徴抽出部２０に送られる。
６．閾値処理用数式          上記の数式（１）
７．閾値越え数カウント区間長
８・閾値設定用の特定区間長
９．追加処理                なし
【００６９】
図２６には、覚醒度低下検出試験の試験結果が示されている。試験結果では、顔画像による眠気評価がレベル５以下となっているときに、閾値越え密度が閾値ＴＨ２を越えており、生理・心理状態検出装置１は検出目標を達成している。即ち、生理・心理状態検出装置１により、全く眠くなさそうな状態からやや眠そうな状態に変化したことの検出に成功している。
【００７０】
［２］リファレンスデータ生成装置
次に、リファレンスデータ生成装置について説明する。リファレンスデータ生成装置は、上述した生理・心理状態検出装置１のゆらぎ処理情報データベース１６に格納されるリファレンスデータを生成するものである。なお、以下の説明では、覚醒度の低下を検出するためのリファレンスデータの生成するリファレンスデータ生成装置を一例として説明するが、リファレンスデータ生成装置は他の生理・心理状態を検出するものでもよい。
【００７１】
覚醒度の低下検出では、覚醒度が明らかに高い時に計測された生理指標の値を基準として、現在時刻における生理指標の計測データがその基準から大きく外れた場合に、被験者の覚醒度が低いことを判断するのが一般的である。ここで、覚醒度が高いときの生理指標の計測データの提供手法としては、運転開始直後などの覚醒度が明らかに高いと予想される時間のデータを提供する方法が考えられる。しかしながら、このような方法で覚醒度が明らかに高い時間を特定した場合には、運転開始からどの時刻までが覚醒度が高い時間であるかを判別するのが難しく、高覚醒状態の確実な判別が困難となっている。
【００７２】
ところで、運転中の運転者の覚醒度が低下し始めた時には、運転者が安全運転を維持するために眠気と闘う状態が見られる。ここで、運転者が眠気と闘う状態は、一種のストレス負荷状態である。逆に言えば、運転開始直後から運転者がストレス負荷状態とならない限り、運転者の覚醒度は高いと言える。よって、運転者の覚醒度が高い状態を確実に検出する方法の一つとして、運転者がストレスを受けていない状態を検出する方法が考えられる。以下に説明するリファレンスデータ生成装置は、この方法を用いて運転者の覚醒度が高い状態を検出するものである。
【００７３】
図２７には、リファレンスデータ生成装置４の構成が示されている。リファレンスデータ生成装置４は、ストレス指標計測部４０、生理指標計測部１０、及びＥＣＵを備えており、ＥＣＵ内に、ストレス状態判定部４２、リファレンスデータ計算部４８、バッファー４４、及びゆらぎ処理情報データベース１６が構成されている。
【００７４】
ストレス指標計測部４０は、運転者のストレスと関係がある指標を計測するセンサである。ストレス指標計測部４０として各種センサを用いることができ、例えば、（１）車両加速度、アクセルペダル操作などの車両操作などを計測するセンサ、（２）視線軌跡、声色、顔表情、生理指標などを計測するセンサを用いることができる。
【００７５】
ストレス状態判定部４２は、ストレス指標を取り込んで、運転者が眠気と闘ってストレスを感じている状態であるか否かを判断し、その判断結果を出力する。ここで、ストレス状態判定部４２は、取り込んだストレス指標が、運転者が眠気と闘ってストレスを感じているときに表れる特有な値となっているか否かを判定する。例えば、ストレス指標がアクセルペダルの踏み込み速度である場合には、アクセルペダルの踏み込み速度がストレス状態判定用の閾値以上となると、ストレス状態判定部４２は、運転者が眠気と闘っておりストレス状態にあることを判定する。また、ストレス指標が運転者の視線である場合には、運転者の視線がストレス状態判定用の閾値以上となると、ストレス状態判定部４２は、運転者が眠気と闘っておりストレス状態にあることを判定する。また、ストレス指標が他の種類の計測値である場合も、同様に運転者のストレス状態を判定する。
【００７６】
また、ストレス状態判定部４２に、車両の運転状況を認識する計測手段を設け、車両の運転状況が良好であることが認識された場合にのみ、上述した眠気によるストレス状態を判定する処理を行ってもよい。即ち、運転状況が良好でない場合には運転者はその良好でない運転状況に対応するためにストレスを受けてしまうため、運転状況が良好であることが認識された場合にのみストレス状態を判定する処理を行うことで、ストレス状態判定部４２が、眠気と闘うためでなく運転状況により運転者が受けるストレスを検出してしまうことを防止することができる。これにより、運転者が眠気と闘ってストレス状態になっている状況をより確実に検出することができる。
【００７７】
（１）ここで、運転状況を認識する計測手段の一例は、ナビゲーション装置である。ストレス状態判定部４２は、ナビゲーション装置から現在の車両位置の道路形状の情報を取得して、道路形状が直線である場合には車両の運転状況が良好であることを判定し、道路形状が曲がっている場合には車両の運転状況が良好でないことを判定する。（２）また、運転状況を認識する計測手段の一例は、車載カメラである。ストレス状態判定部４２は、対向車が検出されない場合に車両の運転状況が良好であることを判定し、対向車が検出された場合に車両の運転状況が良好でないことを判定する。（３）また、運転状況を認識する計測手段の一例は、車内のマイクロフォンである。ストレス状態判定部４２は、同乗者の発話が検出されない場合に車両の運転状況が良好であることを判定し、同乗者の発話が検出された場合に車両の運転状況が良好でないことを判定する。
【００７８】
生理指標計測部１０は、上述した生理・心理状態検出装置１の一部構成を利用している。生理指標計測部１０は、運転開始時から被験者の生理指標を計測して出力し、ストレス状態判定部４２からストレス無しとの判断結果を取り込んでいる限り、被験者の生理指標を計測して出力する。ここで、生理指標計測部１０から出力された生理指標の時系列データは、バッファー４４に一時的に格納される。一方、生理指標計測部１０は、ストレス状態判定部４２からストレス有りとの判断結果を取り込んだときには、被験者の生理指標の出力を停止して、生理指標の計測を終了する。なお、生理指標計測部１０としては、例えば、脳波センサ、心電センサ、脈波センサ、呼吸センサなどを用いることができる。但し、生理指標計測部１０は、これらに限られるものではなく、居眠り状態、ストレス負荷状態、疲労状態などの検出対象状態に応じてゆらぎを生じる生理指標を計測するものであればよい。
【００７９】
計測終了判定部４６は、リファレンスデータを生成するためのデータ計測の終了判断を行う。具体的には、計測終了判定部４６は、以下の条件１，２の少なくとも一方を満たした場合に、リファレンスデータを生成するための生理指標の計測終了を指示する指令を、生理指標計測部１０に出力する。
（条件１）車両の運転開始から予め設定された時間を経過した場合
（条件２）バッファー４４内のデータ量が、予め設定された基準データ量に達した場合
【００８０】
なお、条件１の設定時間は、メーカー設定も可能であるが、ユーザーが任意に設定することも可能である。また、条件２の基準データ量は、リファレンスデータ計算の際の諸条件より決定される。諸条件の一例として、周波数帯がある。サンプリング定理に基づいて、周波数帯に応じて解析区間長が一意に定まるからである。また、諸条件の別の一例として、バッファ内データの連続時間幅がある。運転中の急なストレスでバッファー４４への格納が中断される可能性があるからである。
【００８１】
リファレンスデータ計算部４８は、生理指標の時系列データを取り込んで、生理・心理状態の検出処理で利用するリファレンスデータを計算して出力する。ここで、リファレンスデータは、生理・心理状態検出装置１のゆらぎ抽出部１８、ゆらぎ特徴抽出部２０、及び閾値設定部２２と同様な処理を行うことにより計算される。計算されたリファレンスデータは、ゆらぎ処理情報データベース１６に格納される。既述のとおり、生理・心理状態検出装置１は、ゆらぎ処理情報データベース１６に格納されたリファレンスデータを利用して、被験者の生理・心理状態を検出する処理を行う。
【００８２】
図２８には、リファレンスデータ生成装置４が行う処理のフローチャートが示されている。ＥＣＵは、車両の運転が開始されると、ストレス指標を計測し始め、ストレス状態であるか否かを判定する（Ｓ８０１，Ｓ８０２）。ここで、ＥＣＵは、ストレス状態であると判定した場合には、ストレス指標の計測を繰り返す（Ｓ８０１）。一方、ＥＣＵは、ストレス状態でないと判定した場合には、生理指標を計測して、その計測値をバッファー４４に一時的に記憶する（Ｓ８０３，Ｓ８０４）。
【００８３】
次に、ＥＣＵは、ストレス状態判定部４２の判断結果、及び計測終了判定部４６の判定結果に基づいて、生理指標の計測を終了すべきか否かを判定する（Ｓ８０５）。ここで、ＥＣＵは、計測を終了すべきでないと判定した場合には、ストレス指標の計測を繰り返す（Ｓ８０１）。一方、ＥＣＵは、計測を終了すべきと判定した場合には、リファレンスデータを計算し、ゆらぎ処理情報データベース１６に記憶する（Ｓ８０６，Ｓ８０７）。
【００８４】
上述したリファレンスデータ生成装置４によれば、運転開始直後から運転者がストレスを受けない時間帯に生理指標を計測することで、運転者の覚醒度が高い状態の生理指標を取得することができる。よって、生理・心理状態を検出するために良好なリファレンスデータを得ることができる。
【図面の簡単な説明】
【００８５】
【図１】生理・心理状態検出装置の概略構成図である。
【図２】生理指標計測部により計測される心電図である。
【図３】心電図の２値化処理を説明するための模式図である。
【図４】２値化処理後の心電図である。
【図５】心拍周期の算出処理を説明するための模式図である。
【図６】心拍周期の補間処理を説明するための模式図である。
【図７】心拍数の経時変化を示すチャートである。
【図８】心拍周期のＦＦＴ処理を説明するための模式図である。
【図９】パワースペクトルの積分を説明するための模式図である。
【図１０】振幅スペクトルパワーの経時変化を示すチャートである。
【図１１】図１０のチャートを時間微分して得られるチャートである。
【図１２】閾値ＴＨ１を算出する処理を説明するための模式図である。
【図１３】図１１のチャートに閾値ＴＨ１を追加して示したチャートである。
【図１４】閾値越えタイミングを示すチャートである。
【図１５】閾値越え密度の経時変化を示すチャートである。
【図１６】図１５のチャートに閾値ＴＨ２を追加して示したチャートである。
【図１７】生理・心理状態検出装置による処理を示す第一のフローチャートである。
【図１８】生理・心理状態検出装置による処理を示す第二のフローチャートである。
【図１９】生理・心理状態検出装置による処理を示す第三のフローチャートである。
【図２０】生理・心理状態検出装置による処理を示す第四のフローチャートである。
【図２１】検出例１において、振幅スペクトルパワーの経時変化を示すチャートである。
【図２２】検出例１において、閾値越え密度の経時変化を示すチャートである。
【図２３】検出例１において、図１５のチャートに閾値ＴＨ２を追加して示したチャートである。
【図２４】検出例１における覚醒低下検出試験の結果を示すチャートである。
【図２５】検出例２における覚醒低下検出試験の結果を示すチャートである。
【図２６】検出例３における覚醒低下検出試験の結果を示すチャートである。
【図２７】リファレンスデータ生成装置の概略構成図である。
【図２８】リファレンスデータ生成装置の処理を示すフローチャートである。
【符号の説明】
【００８６】
１…生理・心理状態検出装置、４…リファレンスデータ生成装置、１０…生理指標計測部、１２…生理指標名入力部、１４…検出対象状態名入力部、１６…ゆらぎ処理情報データベース、１８…ゆらぎ抽出部、２０…ゆらぎ特徴抽出部、２２…閾値設定部、２４…有意特徴検出部、２６…状態出力部、２８，３０，３２，３４…バッファー、４０…ストレス指標計測部、４２…ストレス状態判定部、４４…バッファー、４６…計測終了判定部、４８…リファレンスデータ計算部。
【図１】
2007006970.tif 000003
【図２】
2007006970.tif 000004
【図３】
2007006970.tif 000005
【図４】
2007006970.tif 000006
【図５】
2007006970.tif 000007
【図６】
2007006970.tif 000008
【図７】
2007006970.tif 000009
【図８】
2007006970.tif 000010
【図９】
2007006970.tif 000011
【図１０】
2007006970.tif 000012
【図１１】
2007006970.tif 000013
【図１２】
2007006970.tif 000014
【図１３】
2007006970.tif 000015
【図１４】
2007006970.tif 000016
【図１５】
2007006970.tif 000017
【図１６】
2007006970.tif 000018
【図１７】
2007006970.tif 000019
【図１８】
2007006970.tif 000020
【図１９】
2007006970.tif 000021
【図２０】
2007006970.tif 000022
【図２１】
2007006970.tif 000023
【図２２】
2007006970.tif 000024
【図２３】
2007006970.tif 000025
【図２４】
2007006970.tif 000026
【図２５】
2007006970.tif 000027
【図２６】
2007006970.tif 000028
【図２７】
2007006970.tif 000029
【図２８】
2007006970.tif 000030